(57)【特許請求の範囲】
【請求項１】
収納ケースに収納された昇降棚を前記収納ケースから前方下方に移動自在とする昇降装置であって、
前方が開放された箱型形状の収納ケースと、
前記収納ケースに収納された箱型形状の第１昇降棚と、
前記第１昇降棚に対して所定間隔で並ぶように前記収納ケースに収納され、前記第１の昇降棚とほぼ同一形状の第２昇降棚と、
一端側が前記収納ケースの内側壁に回動自在に取付けられ、他端側が前記第１昇降棚の外方側壁に回動自在に取付けられた第１前支持リンクと、
一端側が前記第１昇降棚の内方側壁に回動自在に取付けられ、前記第１昇降棚の外方側壁に投影したとき、前記第１前支持リンクとで並行支持リンクを構成する第１後支持リンクと、
一端側が前記収納ケースの内側壁に回動自在に取付けられ、他端側が前記第２昇降棚の外方側壁に回動自在に取付けられた第２前支持リンクと、
一端側が前記第２昇降棚の内方側壁に回動自在に取付けられ、前記第２昇降棚の外方側壁に投影したとき、前記第２前支持リンクとで並行リンクを構成する第２後支持リンクと、
前記第１後支持リンクと前記第２後支持リンクとの間のスペースにおいて、前記収納ケースの内壁に取付けられ、前記第１後支持リンクの他端側及び前記第２後支持リンクの他端側を回動自在に支持する機構ボックスと、
前記第１前支持リンクの他端と前記第２前支持リンクの他端とを連結する連結体とを備えた、昇降装置。
【請求項２】
収納ケースに収納された昇降棚を前記収納ケースから前方下方に移動自在とする昇降装置であって、
前方が開放された箱型形状の収納ケースと、
前記収納ケースに収納された箱型形状の第１昇降棚と、
前記第１昇降棚に対して所定間隔で並ぶように前記収納ケースに収納され、前記第１の昇降棚とほぼ同一形状の第２昇降棚と、
一端側が前記収納ケースの内側壁に回動自在に取付けられ、他端側が前記第１昇降棚の外方側壁に回動自在に取付けられた第１前支持リンクと、
一端側が前記第１昇降棚の内方側壁に回動自在に取付けられ、前記第１昇降棚の外方側壁に投影したとき、前記第１前支持リンクとで並行支持リンクを構成する第１後支持リンクと、
一端側が前記収納ケースの内側壁に回動自在に取付けられ、他端側が前記第２昇降棚の外方側壁に回動自在に取付けられた第２前支持リンクと、
一端側が前記第２昇降棚の内方側壁に回動自在に取付けられ、前記第２昇降棚の外方側壁に投影したとき、前記第２前支持リンクとで並行リンクを構成する第２後支持リンクと、
前記第１後支持リンクと前記第２後支持リンクとの間のスペースにおいて、前記収納ケースの内壁に取付けられ、前記第１後支持リンクの他端側及び前記第２後支持リンクの他端側を回動自在に支持する機構ボックスと、
前記第１後支持リンクの他端と前記第２後支持リンクの他端とを連結する連結体とを備えた、昇降装置。
【請求項３】
前記機構ボックスには、前記第１後支持リンク及び前記第２後支持リンクを回動自在とするためにこれらを連結する回動軸に取付けられた渦巻きバネが格納される、請求項1又請求項２記載の昇降装置。
【請求項４】
前記機構ボックスには、前記第１後支持リンク及び前記第２後支持リンクの他端を連結する軸に取付けられたオイルダンパーが格納される、請求項１から請求項３のいずれかに記載の昇降装置。
【請求項５】
前記第１昇降棚と前記第２昇降棚との間のスペースを塞ぐ連結板を更に備えた、請求項１から請求項４のいずれかに記載の昇降装置。
【発明の詳細な説明】
【０００１】
【発明の属する技術分野】
この発明は昇降装置に関し、特に台所の昇降棚や玄関の靴箱等に用いられる昇降装置に関するものである。
【０００２】
【従来の技術】
図５は従来の台所の昇降棚として用いられる昇降装置の外観形状を示した正面図であり、図６は図５で示したＶＩ−ＶＩラインの断面図である。
【０００３】
これらの図を参照して、前方が開放された箱型形状よりなる収納ケース１２の内部に、同じく前方が箱型形状の昇降棚６３が収納されている。昇降棚６３の左側面には、前支持リンク６６ａ及び後支持リンク６７ａよりなる並行支持リンクが、取付板６８ａを介して取付けられている。同様に昇降棚６３の右側面には、前支持リンク６６ｂ及び後支持リンク６７ｂよりなる並行支持リンクが取付板６８ｂを介して取付けられている。上述のように昇降装置は左右対象の構造となっているため、以下左側面側について主に説明する。
【０００４】
前支持リンク６６ａの下方端部は、回動軸７２ａを中心として回動自在に機構ボックス７０ａの側面に取付けられている。一方、後支持リンク６７ａの下方部は、回動軸７１ａを中心として回動自在に機構ボックス７０ａの側面に取付けられている。回動軸７１ａは機構ボックス７０ａの内部に挿通されて軸支され、図示しない渦巻きバネが、機構ボックス７０ａ内部において回動軸７１ａに対して取付けられている。渦巻きバネは昇降棚６３の昇降動作に要する力を軽減するために設けられているものである。
【０００５】
又、後支持リンク６７ａの下方端部には軸７３ａが取付けられ、軸７３ａは機構ボックス７０ａ内部に挿通されて、そこに図示しないオイルダンパーの一端が接続されている。ここでオイルダンパーは、昇降棚６３の昇降動作において急激な移動を抑制するために設けられている。
【０００６】
尚、前支持リンク６６ａの下端部と前支持リンク６６ｂの下端部とは、棒状の連結体１７によって一体的に連結されている。これによって左右の並行支持リンクの各々が一体化することになり、昇降棚６３が仮に剛性の低いものであっても、安定した昇降動作が確保される。
【０００７】
このように昇降装置６１は構成されていることから、昇降棚６３を仮想線で示すように収納ケース１２に対して水平状態を保ったまま前方下方に引出すことが可能となる。これによって昇降棚６３に対して物品を収納したり取出したりすることが容易となる。物品の収納等が終了すると昇降棚６３を一点鎖線の方向に後方を上方に持ち上げると、収納ケース１２に昇降棚６３が収納されることになる。
【０００８】
【発明が解決しようとする課題】
上記のような従来の昇降装置では、横方向に長い昇降棚を採用しようとすると、両側壁のみを支持リンクで支持しているため、昇降棚自体の剛性を上げる必要があり、その分コスト的に不利となる。又、安定した昇降動作を確保するためには、機構ボックスは両側それぞれの支持リンク毎に設ける必要性がより増大することになる。
【０００９】
この発明は上記のような課題を解決するためになされたもので、横方向に長い昇降棚であっても、１つの機構ボックスを用いて安定した昇降動作を確保し得る昇降装置を提供することを目的とする。
【００１０】
【課題を解決するための手段】
上記の目的を達成するために、請求項１記載の発明は、収納ケースに収納された昇降棚を収納ケースから前方下方に移動自在とする昇降装置であって、前方が開放された箱型形状の収納ケースと、収納ケースに収納された箱型形状の第１昇降棚と、第１昇降棚に対して所定間隔で並ぶように収納ケースに収納され、第１の昇降棚とほぼ同一形状の第２昇降棚と、一端側が収納ケースの内側壁に回動自在に取付けられ、他端側が第１昇降棚の外方側壁に回動自在に取付けられた第１前支持リンクと、一端側が第１昇降棚の内方側壁に回動自在に取付けられ、第１昇降棚の外方側壁に投影したとき、第１前支持リンクとで並行支持リンクを構成する第１後支持リンクと、一端側が収納ケースの内側壁に回動自在に取付けられ、他端側が第２昇降棚の外方側壁に回動自在に取付けられた第２前支持リンクと、一端側が第２昇降棚の内方側壁に回動自在に取付けられ、第２昇降棚の外方側壁に投影したとき、第２前支持リンクとで並行リンクを構成する第２後支持リンクと、第１後支持リンクと第２後支持リンクとの間のスペースにおいて、収納ケースの内壁に取付けられ、第１後支持リンクの他端側及び第２後支持リンクの他端側を回動自在に支持する機構ボックスと、第１前支持リンクの他端と第２前支持リンクの他端とを連結する連結体とを備えたものである。
【００１１】
このように構成すると、第１昇降棚及び第２昇降棚のいずれも両側壁が前支持リンク又は後支持リンクで支持される。又、第１前支持リンクと第２前支持リンクとが一体化する。
請求項２記載の発明は、収納ケースに収納された昇降棚を収納ケースから前方下方に移動自在とする昇降装置であって、前方が開放された箱型形状の収納ケースと、収納ケースに収納された箱型形状の第１昇降棚と、第１昇降棚に対して所定間隔で並ぶように収納ケースに収納され、第１の昇降棚とほぼ同一形状の第２昇降棚と、一端側が収納ケースの内側壁に回動自在に取付けられ、他端側が第１昇降棚の外方側壁に回動自在に取付けられた第１前支持リンクと、一端側が第１昇降棚の内方側壁に回動自在に取付けられ、第１昇降棚の外方側壁に投影したとき、第１前支持リンクとで並行支持リンクを構成する第１後支持リンクと、一端側が収納ケースの内側壁に回動自在に取付けられ、他端側が第２昇降棚の外方側壁に回動自在に取付けられた第２前支持リンクと、一端側が第２昇降棚の内方側壁に回動自在に取付けられ、第２昇降棚の外方側壁に投影したとき、第２前支持リンクとで並行リンクを構成する第２後支持リンクと、第１後支持リンクと第２後支持リンクとの間のスペースにおいて、収納ケースの内壁に取付けられ、第１後支持リンクの他端側及び第２後支持リンクの他端側を回動自在に支持する機構ボックスと、第１後支持リンクの他端と第２後支持リンクの他端とを連結する連結体とを備えたものである。
このように構成すると、第１昇降棚及び第２昇降棚のいずれも両側壁が前支持リンク又は後支持リンクで支持される。又、第１後支持リンクと第２後支持リンクとが一体化する。
【００１２】
請求項３記載の発明は、請求項１又は請求項２記載の発明の構成において、機構ボックスには、第１後支持リンク及び第２後支持リンクを回動自在とするためにこれらを連結する回動軸に取付けられた渦巻きバネが格納されるものである。
【００１３】
このように構成すると、中央に配置された１つの渦巻きバネによって両側の昇降棚の昇降動作が制御される。
【００１４】
請求項４記載の発明は、請求項１から請求項３のいずれかに記載の発明の構成において、機構ボックスには、第１後支持リンク及び第２後支持リンクの他端を連結する軸に取付けられたオイルダンパーが格納されるものである。
【００１５】
このように構成すると、中央に配置されたオイルダンパーによって両側の昇降棚の昇降動作が制御される。
【００２０】
請求項５記載の発明は、請求項１から請求項４のいずれかに記載の発明の構成において、第１昇降棚と第２昇降棚との間のスペースを塞ぐ連結体を更に備えたものである。
【００２１】
このように構成すると、第１昇降棚と第２昇降棚とが一体化する。
【００２２】
【発明の効果】
以上説明したように、請求項１記載の発明は、第１昇降棚及び第２昇降棚のいずれも両側壁が支持リンクで支持されるため、横方向に長い収納ケースにおいても安定した昇降棚の昇降動作が確保される。又、第１前支持リンクと第２前支持リンクとが一体化するため、より安定した昇降動作が確保される。
請求項２記載の発明は、第１昇降棚及び第２昇降棚のいずれも両側壁が支持リンクで支持されるため、横方向に長い収納ケースにおいても安定した昇降棚の昇降動作が確保される。又、第１後支持リンクと第２後支持リンクとが一体化するため、より安定した昇降動作が確保される。
【００２３】
請求項３記載の発明は、請求項１又は請求項２記載の発明の効果に加えて、１つの渦巻きバネによって両側の昇降棚の昇降動作が制御されるため、低コストで安定した昇降動作が維持される。
【００２４】
請求項４記載の発明は、請求項１から請求項３のいずれかに記載の発明の効果に加えて、１つのオイルダンパーによって両側の昇降棚の昇降動作が制御されるため、低コストで安定した昇降動作が維持される。
【００２７】
請求項５記載の発明は、請求項１から請求項４のいずれかに記載の発明の効果に加えて、第１昇降棚と第２昇降棚とが一体化するため、昇降時の第１昇降棚及び第２昇降棚の総合的な剛性が高まり、より安定した昇降動作が実現できる。
【００２８】
【発明の実施の形態】
図１はこの発明の第１の実施の形態による昇降装置の概略構成を示す正面図であり、図２は図１のＩＩ−ＩＩラインの断面図であり、図３は図１のＩＩＩ−ＩＩＩラインの断面図であり、図４は図３で示したＩＶ−ＩＶラインの部分拡大図である。
【００２９】
これらの図を参照して、前方が開放された箱型形状の昇降装置１１内部に同一形状の箱型形状を有する２つの第１昇降棚１３ａ，第２昇降棚１３ｂが収納されている。第１昇降棚１３ａの外方側壁には矩形シート形状の取付板２５ａが取付けられている。第１前支持リンク１６ａは、その一端側が収納ケース１２の左側の内側壁に回動軸２１ａを介して回動自在に取付けられ、その他端側が軸２４ａを介して取付板２５ａに対して回動自在に取付けられている。すなわち、第１昇降棚１３ａの外方側壁は、第１前支持リンク１６ａによって回動自在に支持されることになる。
【００３０】
一方、第２昇降棚１３ｂの外方側壁も第２前支持リンク１６ｂによって回動自在に支持されている。すなわち、第２前支持リンク１６ｂの一端側が回動軸２１ｂを介して収納ケース１２の右側内壁に回動自在に取付けられている。第２前支持リンク１６ｂの他端側は、第２昇降棚１３ｂの外方側壁に取付けられた取付板２５ｂに対して軸２４ｂを介して回動自在に取付けられている。
【００３１】
尚、第１前支持リンク１６ａと第２前支持リンク１６ｂとは対称形状に形成されている。又、第１前支持リンク１６ａの他端側と第２前支持リンク１６ｂの他端側とは、棒状の連結体１７によって連結され、これらが一体化されている。
【００３２】
第１昇降棚１３ａの内方側壁は第１後支持リンク１９ａによって回動自在に支持されている。すなわち、第１後支持リンク１９ａの一端側は、第１昇降棚１３ａの内方側壁に取付けられた取付板３２ａに対して軸３１ｂを介して回動自在に取付けられている。第１後支持リンク１９ａの他端側においては、回動軸２７を介して回動自在に取付けられている。
【００３３】
一方、第２昇降棚１３ｂの内方側壁は第２後支持リンク１９ｂによって回動自在に支持されている。すなわち、第２後支持リンク１９ｂの一端側は、第２昇降棚１３ｂの内方側壁に取付けられた取付板３２ｂに対して軸３１ｂを介して回動自在に取付けられている。又、第１後支持リンク１９ａの一端側と第２後支持リンク１９ｂの一端側とは、棒状の連結体２０によって一体となるように連結されている。一方、第２後支持リンク１９ｂの他端側においては、回動軸２７を介して回動自在に取付けられている。
【００３４】
又、第１昇降棚１３ａと第２昇降棚１３ｂとの間のスペースであって、第１後支持リンク１９ａと第２後支持リンク１９ｂとの間の位置において、箱型形状の機構ボックス２２が収納ケース１２の後部壁と底部壁とに取付けられている。そして、第１後支持リンク１９ａ及び第２後支持リンク１９ｂの各々を回動自在に支持する回動軸２７は、機構ボックス２２の両側壁を貫通した状態で機構ボックス２２によって回動自在に支持されている。
【００３５】
機構ボックス２２の内部において、回動軸２７に対して渦巻きバネ３４が取付けられている。この渦巻きバネ３４は、第１後支持リンク１９ａ及び第２後支持リンク１９ｂにそのバネ力を伝達し、第１昇降棚１３ａ及び第２昇降棚１３ｂの昇降動作に要する力を軽減するために設けられているものである。
【００３６】
第１後支持リンク１９ａの他端と第２後支持リンク１９ｂの他端とは、軸２８によって連結されている。軸２８は機構ボックス２２の両側壁を貫通するように取付けられている。そして機構ボックス２２の内部において、その両側壁に架け渡すように取付けられている軸３７と軸２８との間に、その両端部が回動自在となる状態でオイルダンパー３６が取付けられている。このオイルダンパー３６は、第１後支持リンク１９ａ及び第２後支持リンク１９ｂにそのダンパー力を伝達し、第１昇降棚１３ａ及び第２昇降棚１３ｂの昇降動作において急激な移動を抑制するために設けられている。
【００３７】
上述のように、第１昇降棚１３ａの外方側壁は第１前支持リンク１６ａの一端側で支持され、第１昇降棚１３ａの内方側壁は、第１後支持リンク１９ａの一端側によって回動自在に支持されている。そして第１前支持リンク１６ａと第１後支持リンク１９ａとは、図２によって理解されるように、第１後支持リンク１９ａを第１昇降棚１３ａの外方側壁に投影したとき、これらの支持リンクは並行支持リンクを構成するものである。従って、第１昇降棚１３ａを収納ケース１２から前方下方に引出すと、二点鎖線で示すようにその水平状態を保ったまま第１昇降棚１３ａは移動することになる。
【００３８】
同様に第２昇降棚１３ｂの外方側壁は第２前支持リンク１６ｂの一端側において回動自在に支持され、第２昇降棚１３ｂの内方側壁は第２後支持リンク１９ｂの一端側において回動自在に支持されている。そして、図３によって理解されるように、第２後支持リンク１９ｂを第２昇降棚１３ｂの外方側壁に投影したとき、第２前支持リンク１６ｂとで並行支持リンクを構成する。従って、第２昇降棚１３ｂに対しても収納ケース１２から前方下方にこれを引出した場合、第２昇降棚１３ｂは水平状態を保ったまま移動することになる。
【００３９】
又、第１昇降棚１３ａと第２昇降棚１３ｂとの間のスペースは、その前面において連結板１４によって塞がれている。従って前方から昇降装置１１内部を目視した際、第１後支持リンク１９ａ，第２後支持リンク１９ｂや機構ボックス２２等が直接目視されないため、よりすっきりとした外観となる。
【００４０】
次に、この昇降装置の使用状態について説明する。
【００４１】
使用に際しては、第１昇降棚１３ａ又は第２昇降棚１３ｂのいずれか又は双方を前方に引き出すように力を加える。すると、第１前支持リンク１６ａと第２前支持リンク１６ｂとは連結体１７によって、第１後支持リンク１９ａと第２後支持リンク１９ｂとは連結体２０によって、各々一体化されているため、仮に一方に偏った力が加わったとしても、双方同様の移動状態が確保される。
【００４２】
この時、機構ボックス２２内に収納されている渦巻きバネ３４及びオイルダンパー３６のバネ力及びタンバー力は、均等に第１後支持リンク１９ａ及び第２後支持リンク１９ｂに伝達される。従って、従来例で示した昇降装置において、例えば機構ボックスを一方にのみ設置したような不安定な昇降動作とはならない。そのため機構ボックス２２の数、すなわち渦巻きバネ３４及びオイルダンパー３６の個数を減らしながら、安定した第１昇降棚１３ａ及び第２昇降棚１３ｂの昇降動作を確保することが可能となる。
【００４３】
又、第１昇降棚１３ａ及び第２昇降棚１３ｂは全体としては横方向に長い昇降棚を構成するが、各々の両側壁が必ず支持リンクの一方で支持されることになる。従って、同じ程度の横方向に長い昇降棚でその両側壁のみを支持リンクの双方で支持するものに比べて、昇降棚自体の剛性を高くする必要がない。更に、この実施の形態においては第１昇降棚１３ａと第２昇降棚１３ｂとを連結板１４によって連結しているため、第１昇降棚１３ａ及び第２昇降棚１３ｂの各々に加わる捻り力に対して効果的に働き、それら全体の剛性を高めることとなっている。
【００４４】
尚、上記の実施の形態では、前支持リンク同士及び後支持リンク同士を各々連結体で一体化しているが、この連結体は必ずしも必要なものではない。
【００４５】
又、上記の実施の形態では、昇降棚同士の間のスペースを連結板によって塞いでいるが、この連結体は必ずしも必要なものではなく、又この連結体に代えて他の構造体によって昇降棚同士を一体化するように構成しても良い事は言うまでもない。
【００４６】
更に、上記の実施の形態では、第１昇降棚と第２昇降棚とは同一形状としているが、これらはその横方向の長さが若干異なるように構成しても良い。
【００４７】
更に、上記の実施の形態では、渦巻きバネ及びオイルダンパーを組み込んでいるが、こららは必ずしも必要なものではなく、又これに代えた昇降動作の制御機構を用いても良い。
【図面の簡単な説明】
【図１】この発明の第１の実施の形態による昇降装置の外観形状を示した正面図である。
【図２】図１で示したＩＩ−ＩＩラインの断面図である。
【図３】図１で示したＩＩＩ−ＩＩＩラインの断面図である。
【図４】図３で示したＩＶ−ＩＶラインの部分拡大断面図である。
【図５】従来の昇降装置の外観形状を示した正面図である。
【図６】図５で示したＶＩ−ＶＩラインの断面図である。
【符号の説明】
１１…昇降装置
１２…収納ケース
１３…昇降棚
１４…連結板
１６…前支持リンク
１７…連結体
１９…後支持リンク
２０…連結体
２２…機構ボックス
２７…回動軸
２８…軸
３４…渦巻きバネ
３６…オイルダンパー
尚、各図中同一符号は同一又は相当部分を示す。
【図１】
0003677242.tif 000002
【図２】
0003677242.tif 000003
【図３】
0003677242.tif 000004
【図４】
0003677242.tif 000005
【図５】
0003677242.tif 000006
【図６】
0003677242.tif 000007